(57)【要約】【課題】  装着時の違和感緩和に有効なヘッドセットを提供する。【解決手段】  携帯電話５０と無線通信が可能なヘッドセット１０に外音収集用マイク２０と、送話用マイク１８とを設け、ヘッドセット内部に設けた音声処理回路の信号処理により、外音収集用マイク２０から取り込んだ外音を同ヘッドセット内に設けたスピーカから出力する。その結果、ヘッドセット５０を装着した側の外音の聞こえ方と装着していない側の外音の聞こえ方のバランスが取れるため、ヘッドセット装着時の違和感が緩和される。【選択図】  図１
2006074671.tif 000002
【特許請求の範囲】
【請求項１】
通話源との無線通信を確立する手段と、該通話源から受信した音声を外部に出力するスピーカとを備えたヘッドセットであって、
外音の取り込みが可能な位置に設られたマイクロホンと、
前記マイクロホンから取り込んだ外音を前記スピーカから出力する手段と
を具備することを特徴とするヘッドセット。
【請求項２】
通話源から受信した受話音を外部に出力するスピーカを備えたヘッドセットであって、
送話音の取り込みが可能な位置に設けられた第１のマイクロホンと、
外音の取り込みが可能な位置に設られた第２のマイクロホンと、
前記第２のマイクロホンから取り込んだ外音を前記スピーカから出力する手段と
を具備することを特徴とするヘッドセット。
【請求項３】
通話源から受信した受話音を外部に出力するスピーカを備えたヘッドセットであって、
外音の取り込みが可能な位置に設られたマイクロホンと、
前記通話源から受信した受話音と、前記マイクロホンから取り込んだ外音とを合成して前記スピーカから出力する手段と
を具備することを特徴とするヘッドセット。
【請求項４】
通話源から受信した受話音を外部に出力するスピーカを備えたヘッドセットであって、
送話音の取り込みが可能な位置に設けられた第１のマイクロホンと、
外音の取り込みが可能な位置に設られた第２のマイクロホンと、
前記通話源から受信した受話音と、前記第１のマイクロホンから取り込んだ送話音と、前記第２のマイクロホンから取り込んだ外音とを合成して前記スピーカから出力する手段と
を具備することを特徴とするヘッドセット。
【請求項５】
通話源から受信した受話音を外部に出力するスピーカを備えたヘッドセットであって、
外音の取り込みが可能な位置に設られたマイクロホンと、
前記マイクロホンから取り込んだ外音を前記スピーカから出力する手段と、
前記スピーカから出力する外音の音量を外部からの指示により調整する手段と
を具備することを特徴とするヘッドセット。
【請求項６】
通話源から受信した受話音を外部に出力するスピーカを備えたヘッドセットであって、
外音の取り込みが可能な位置に設られたマイクロホンと、
前記マイクロホンから取り込んだ外音を前記スピーカから出力する手段と、
前記マイクロホンから取り込んだ外音の種類を判定する判定手段と、
前記判定手段の判定結果に基づいて前記通話源から受信した受話音の音量を調節する手段と
を具備することを特徴とするヘッドセット。
【請求項７】
通話源から受信した受話音を外部に出力するスピーカを備えたヘッドセットであって、
外音の取り込みが可能な位置に設られたマイクロホンと、
前記マイクロホンから取り込んだ外音を前記スピーカから出力する手段と、
前記スピーカから出力する外音と受話音との音量バランスを調整する手段と
を具備することを特徴とするヘッドセット。
【発明の詳細な説明】
【技術分野】
【０００１】
この発明は、ヘッドセットに関し、特に、装着時の違和感緩和に有効なヘッドセットに関する。
【背景技術】
【０００２】
携帯電話のハンズフリー装置としては、下記の文献に記載されたものが知られている。
【特許文献１】特開２００２−２４７１７３号公報  この特許文献１には、携帯電話をスピーカとマイクロホンを備えた充電器にセットすることで、ハンズフリーを可能とした構成が示されている。
【０００３】
一方、ヘッドセット型のハンズフリー装置としては、下記の文献に記載されたものが知られている。
【特許文献２】特表平１０−５０９５７０号公報  この特許文献２には、ヘッドセットをスタンドに取り付けて、卓上マイクロホンとして使用可能とした構成が示されている。
【発明の開示】
【発明が解決しようとする課題】
【０００４】
しかし、上記特許文献１の構成では、ハンズフリー通話を行うために、携帯電話をカバンやポケットから取り出して充電器にセットする必要があり、また、他人に聞かれたくない内容の場合には、携帯電話で通話する必要があるため、ハンズフリー通話を維持することができなかった。特に、車内で使用する場合には、携帯電話を充電器にセットする構成では不必要に大きくなり、重心も安定しないため、車内での取付場所に制約を受けることになる。
【０００５】
また、上記特許文献２の構成では、通話源との接続が有線になるため煩わしさが残り、上記特許文献１と同様に、携帯電話をカバンやポケットに入れたままの通話はできなかった。
【０００６】
また、最近では、携帯電話とヘッドセットの無線通信を可能とした構成も知られており、この構成によれば、携帯電話からヘッドセットへの接続コードが不要になるため、違和感のないヘッドセットの装着が可能になるが、ヘッドセットを耳に装着した際の違和感、特に、片耳のみに装着したときの違和感が課題であった。
【０００７】
そこで、本発明は、装着時の違和感緩和に有効なヘッドセットを提供する。
【課題を解決するための手段】
【０００８】
上記目的を達成するため、請求項１記載の発明は、通話源との無線通信を確立する手段と、該通話源から受信した音声を外部に出力するスピーカとを備えたヘッドセットであって、外音の取り込みが可能な位置に設られたマイクロホンと、前記マイクロホンから取り込んだ外音を前記スピーカから出力する手段とを具備することを特徴とする。
【０００９】
ここで、通話源としては、携帯電話、固定式電話、公衆電話、ＩＰ電話等の各種電話機器や、ＰＣやＰＤＡ等のコンピュータ機器、ラジオやステレオ等のオーディオ機器等、音声信号を扱う各種機器が含まれる。
【００１０】
これらの通話源とヘッドセットには、双方向または一方向の無線通信による音声信号の交換が可能な無線通信回路が組み込まれ、この回路間で構築される無線通信コネクションを介して音声信号の送受信が行われる。ここで使用する無線通信規格としては、音声信号の交換に適し、かつ、他信号の影響を受けにくいブルートゥースが推奨される。
【００１１】
上記構成によれば、有線コードによる違和感がなくなるとともに、ヘッドセットの装着時に外音が聞こえにくくなる違和感をも緩和することができる。特に、片耳装着型のヘッドセットでは、該ヘッドセットを装着している側からの外音が聞こえにくくなるために違和感を感じることが多いが、本構成によれば、外音をスルーさせることができるため、片耳装着型であっても違和感のない装着が期待できる。
【００１２】
さらに、自動車用ハンズフリーのシーンにあっては、ヘッドセットで耳をふさぐことによる運転中の違和感や外音が聞こえにくくなることによる危険性を緩和することができる。
【００１３】
また、請求項２記載の発明は、通話源から受信した受話音を外部に出力するスピーカを備えたヘッドセットであって、送話音の取り込みが可能な位置に設けられた第１のマイクロホンと、外音の取り込みが可能な位置に設られた第２のマイクロホンと、前記第２のマイクロホンから取り込んだ外音を前記スピーカから出力する手段とを具備することを特徴とする。
【００１４】
このように送話音取り込み用のマイクロホンと、外音取り込み用のマイクロホンとをそれぞれ独立に設けることで、好適な外音の取り込みが可能になるとともに、取り込んだ送話音と外音に対する処理を独立に行うことができる。
【００１５】
また、請求項３記載の発明は、通話源から受信した受話音を外部に出力するスピーカを備えたヘッドセットであって、外音の取り込みが可能な位置に設られたマイクロホンと、前記通話源から受信した受話音と、前記マイクロホンから取り込んだ外音とを合成して前記スピーカから出力する手段とを具備することを特徴とする。
【００１６】
このように、受話音と外音とを合成する機能を設けることで、受話音が出力される場合と出力されない場合とで、外音による違和感が存在する場合であっても、この外音による違和感が緩和された通話を提供することが可能になる。その他、通話中であってもキャッチしなればならない外音、例えば、サイレン等の取り込みも可能になる。
【００１７】
また、請求項４記載の発明は、通話源から受信した受話音を外部に出力するスピーカを備えたヘッドセットであって、送話音の取り込みが可能な位置に設けられた第１のマイクロホンと、外音の取り込みが可能な位置に設られた第２のマイクロホンと、前記通話源から受信した受話音と、前記第１のマイクロホンから取り込んだ送話音と、前記第２のマイクロホンから取り込んだ外音とを合成して前記スピーカから出力する手段とを具備することを特徴とする。
【００１８】
このように、受話音と送話音と外音との合成機能を設けることで、ヘッドセットの装着時に自分の話し声が聞こえにくくなる等の違和感を緩和することが可能になり、より快適な通話を提供することができる。
【００１９】
また、請求項５記載の発明は、通話源から受信した受話音を外部に出力するスピーカを備えたヘッドセットであって、外音の取り込みが可能な位置に設られたマイクロホンと、前記マイクロホンから取り込んだ外音を前記スピーカから出力する手段と、前記スピーカから出力する外音の音量を外部からの指示により調整する手段とを具備することを特徴とする。
【００２０】
このように、外音の音量調整機能を設けることで、実際に感じる違和感に応じて外音をスルーさせる量を調整することが可能になり、より違和感のない状態を提供することができる。
【００２１】
また、請求項６記載の発明は、通話源から受信した受話音を外部に出力するスピーカを備えたヘッドセットであって、外音の取り込みが可能な位置に設られたマイクロホンと、前記マイクロホンから取り込んだ外音を前記スピーカから出力する手段と、前記マイクロホンから取り込んだ外音の種類を判定する判定手段と、前記判定手段の判定結果に基づいて前記通話源から受信した受話音の音量を調節する手段とを具備することを特徴とする。
【００２２】
このように外音の種類に応じて受話音の音量を調整する機能を設けることで、通話中であってもキャッチしなればならない外音、例えば、サイレン等が鳴っている場合には、受話音を自動的に小さくすることで、サイレンの確実なキャッチが可能になる。
【００２３】
また、請求項７記載の発明は、通話源から受信した受話音を外部に出力するスピーカを備えたヘッドセットであって、外音の取り込みが可能な位置に設られたマイクロホンと、前記マイクロホンから取り込んだ外音を前記スピーカから出力する手段と、前記スピーカから出力する外音と受話音との音量バランスを調整する手段とを具備することを特徴とする。
【００２４】
このように、受話音と外音の音量バランスを調整する機能を設けることで、より違和感のない通話やサイレンの確実なキャッチ等の各種機能を提供することが可能になる。
【発明の効果】
【００２５】
以上説明したように、本発明によれば、装着時の違和感が少ないヘッドセットを提供することができる。
【発明を実施するための最良の形態】
【００２６】
以下、本発明の実施形態を添付図面を参照して詳細に説明する。尚、本発明は、以下説明する実施形態に限らず適宜変更可能である。
【００２７】
図１は、本実施形態に係るヘッドセットの構成を示す斜視図である。同図に示すように、本ヘッドセット１０は、携帯電話５０と無線通信可能なワイヤレスヘッドセットとして構成される。ここで、携帯電話５０とヘッドセット１０との間は、ワイヤレスコネクション６０による双方向通信が行われ、通信規格としては音声通信に適したブルートゥースが適用される。
【００２８】
このワイヤレスヘッドセット１０は、運転中等の携帯電話５０の使用が制約されるハンズフリーシーンで好適に利用される。例えば、運転中に携帯電話５０が着信を受けた場合には、携帯電話５０とヘッドセット１０とがワイヤレスリンク６０を介して接続され、この状態でヘッドセット１０を耳に装着することにより、携帯電話５０をカバンやポケットに入れたままであってもハンズフリー通話を行うことができる。
【００２９】
ここで、本ヘッドセット１０には、同図に示すように、外音を取り込むための外音収集用マイク２０が設けられ、このマイク２０で収集した外音を内部の音声処理によりスルーさせることで、ヘッドセット１０を装着していない側から聞こえる外音Ｓｏｕｎｄ（Ｒ）と、ヘッドセット１０を装着した側から聞こえる外音Ｓｏｕｎｄ（Ｌ）とが均等に聞こえる状態が提供される。
【００３０】
また、本ヘッドセット１０には、ユーザが発した声をキャッチする送話用マイク１８が設けられ、この送話用マイク１８はロッドアンテナのように伸縮自在に構成されるとともに、角度調整部２２にて好みの方向に向けることが可能な構成を有する。
【００３１】
図２は、図１に示したヘッドセットの構成を示す斜視図である。同図に示すように、ヘッドセット１０は、各種回路を収容したヘッドセット本体１２と、スピーカを収容したイヤーパッド１６と、耳に取り付ける際に使用されるイヤークリップ１９と、前述した送話用マイク１８および外音収集用マイクとで構成される。
【００３２】
図３は、図１に示したヘッドセットの内部回路構成を示すブロック図である。同図に示すように、ヘッドセット１０は、携帯電話との無線通信機能を提供するブルートゥース回路１００と、該ブルートゥース回路１００から出力された信号に対してノイズキャンセラやイコライザ処理を行う音声処理回路１０４と、該各回路１００および１０４に必要なプログラムおよびデータを格納する不揮発性メモリ１１２−１および１１２−２と、該音声処理回路にて処理された信号を増幅するオーディオアンプ１０６と、音声入力インターフェースとなる第１および第２のマイクロホン１０８−１および１０８−２と、音声出力インターフェースとなるスピーカ１１０とで構成される。
【００３３】
ここで、第１のマイクロホン１０８−１は、図１に示した送話用マイク１８の内部に組み込まれ、第２のマイクロホン１０８−２は、図１に示した外音収集用マイク２０の内部に組み込まれ、スピーカ１１０は、図２に示したイヤーパッド１６の内部に組み込まれる。
【００３４】
図４は、図３に示した音声処理回路の第１の構成例とその動作を説明したブロック図である。同図に示す音声処理回路１０４は、ブルートゥース回路１００、第１のマイクロホン１０８−１および第２のマイクロホン１０８−２からそれぞれ入力される信号に対応して設けた重み演算器１５０−１〜１５０−３と、該各演算器１５０−１〜１５０−３の出力を合成する合成回路１５２とで構成される。
【００３５】
重み演算器１５０−１に入力されたブルートゥース回路１００からの受話音は、「Ａ」という重み付けがされて「Ａ・受話音」として合成回路１５２に入力され、重み演算器１５０−２に入力された第１のマイクロホン１０８−１からの送話音は、「Ｂ」という重み付けがされて「Ｂ・送話音」として合成回路１５２に入力され、重み演算器１５０−３に入力された第２のマイクロホン１０８−２からの外音は、「Ｃ」という重み付けがされて「Ｃ・送話音」として合成回路１５２に入力される。
【００３６】
ここで、各重み演算器１５０−１〜１５０−３には、外部からのボリュームコントロール信号が入力される構成となっており、ユーザは、各重み値Ａ、ＢおよびＣに対して好みの値を設定することができる。
【００３７】
合成回路１５２は、各重み演算器１５０−１〜１５０−３から得た信号を合成して、「Ａ・受話音＋Ｂ・送話音＋Ｃ・外音」なる合成信号を生成し、この生成した合成信号をオーディオアンプ１０６を介してスピーカ１１０から出力する。
【００３８】
この音声処理回路１０４の外音処理により、ヘッドセット１０を装着した側と装着していない側とで外音バランスを取ることが可能になるため、片耳装着の違和感がなくなる。また、通話中であっても通話音と外音との合成処理により違和感が緩和され、また、片耳であっても塞ぐことが規制の対象になり得る自動車用ハンズフリーへの適用も期待できる。
【００３９】
さらに、ヘッドセット１０を装着した側と装着していない側との外音バランスは、ユーザが好みの状態に調整でき、また、外音に含まれたサイレンや警告等をキャッチすることもできるため、各種ハンズフリーへの応用が期待できる。
【００４０】
図５は、図３に示した音声処理回路の第２の構成例とその動作を説明したブロック図である。同図に示す音声処理回路１０４は、ブルートゥース回路１００、第１のマイクロホン１０８−１および第２のマイクロホン１０８−２からそれぞれ入力される信号を解読する音声デコーダ１５４と、ブルートゥース回路１００、第１のマイクロホン１０８−１および第２のマイクロホン１０８−２からそれぞれ入力される信号に対応して設けた重み演算器１５０−１〜１５０−３と、該各演算器１５０−１〜１５０−３の出力を合成する合成回路１５２とで構成される。
【００４１】
音声デコーダ１５４は、入力された各音声信号の種類を判定し、例えば、第２のマイクロホン１０８−２から得た外音の中にサイレンや警告が含まれている場合には、重み値Ｃを大きく設定するとともに、重み値ＡおよびＢを小さく設定するかまたは遮断して、サイレンや警告を確実にキャッチできるようユーザに働きかける。
【００４２】
ここで、音声デコーダ１５４には、外部からのボリュームコントロール信号が入力される構成となっており、ユーザは、各重み値Ａ、ＢおよびＣに対して好みの値を設定することができる。尚、重み演算器１５０−１〜１５０−３および合成回路１５２の構成および動作は、前述の図４に示した例と同様である。
【００４３】
このように本音声処理回路１０４では、音声デコーダ１５４による音声認識に基づいて、各音声の重み量が自動的に調整されるため、外音に含まれたサイレンや警告等を確実にキャッチすることができる。
【００４４】
図６は、図５に示した音声処理回路が実行する合成処理の一例を示すフローチャートである。同図に示すように、図５に示した音声処理回路は、受信した外音にサイレンが含まれているか否かを判断し（ステップＳ１００）、サイレンが含まれていた場合には、通話信号の重み値ＡおよびＢを小さく設定するとともに、当該サイレンが含まれた外音の重み値Ｃを大きく設定する（ステップＳ１０２）。
【００４５】
その後、入力された受話音、送話音、外音にそれぞれＡ、ＢおよびＣの重み付けを行ってこれらを合成し（ステップＳ１０４）、この合成した信号をスピーカから出力する。
【００４６】
一方、外音にサイレンが含まれていなかった場合には（ステップＳ１００でＮＯ）、ステップＳ１０２の処理を飛ばして、ステップＳ１０４の処理を実行する。その後、電源がＯＦＦされるまで、ステップＳ１００からステップＳ１０４までの処理を繰り返す（ステップＳ１０６でＮＯ）。
【００４７】
図７は、図１に示したヘッドセットの別の構成例を示す斜視図である。同図に示すように、ヘッドセット１０のマイク１８の角度を調整する角度調整部２２は、伸縮および方向調整が可能な蛇腹構造としても良い。
【産業上の利用可能性】
【００４８】
本発明によれば、外音に起因したヘッドセットの違和感を緩和することができるため、長時間の装着が想定される車載用ハンズフリーへの適用が期待される。
【図面の簡単な説明】
【００４９】
【図１】本実施形態に係るヘッドセットの構成を示す斜視図である。
【図２】図１に示したヘッドセットの構成を示す斜視図である。
【図３】図１に示したヘッドセットの内部回路構成を示すブロック図である。
【図４】図３に示した音声処理回路の第１の構成例とその動作を説明したブロック図である。
【図５】図３に示した音声処理回路の第２の構成例とその動作を説明したブロック図である。
【図６】図５に示した音声処理回路が実行する合成処理の一例を示すフローチャートである。
【図７】図１に示したヘッドセットの別の構成例を示す斜視図である。
【符号の説明】
【００５０】
１０…ワイヤレスヘッドセット、１２…ヘッドセット本体、１４…アンテナ、１６…イヤーパッド、１８…送話用マイク、１９…イヤークリップ、２０…外音収集用マイク、２２…角度調整部、５０…携帯電話、６０…ワイヤレスリンク、１００…ブルートゥース回路、１０２…バッテリ、１０４…音声処理回路、１０６…オーディオアンプ、１０８…マイクロホン、１１０…スピーカ、１１２…不揮発性メモリ、１５０…重み演算器、１５２…合成回路、１５４…音声デコーダ
【図１】
2006074671.tif 000003
【図２】
2006074671.tif 000004
【図３】
2006074671.tif 000005
【図４】
2006074671.tif 000006
【図５】
2006074671.tif 000007
【図６】
2006074671.tif 000008
【図７】
2006074671.tif 000009